(57)【特許請求の範囲】
【請求項１】
溶融された熱溶融型塗料を路面に吐出させる開閉自在な吐出口の後方に、突条を形成する開口部が横方向に間隔を開けて複数形成された形成プレートと、その背後に可動プレートとが設けられ、可動プレートを上下させて、路面に吐出させた熱溶融型塗料に形成プレート及び可動プレートを通過させることにより、塗膜の上面に所定高さの突条が連続的に又は断続的に形成された道路標示を路面に形成する熱溶融型塗料の施工装置であって、前記形成プレートの開口部がその上部を形成する横長の長方形状部と、該長方形状部の下端から下方に向かって両側に広がった台形状部とから形成され、前記開口部の開口高さを塗膜の上面に形成する突条の高さよりも高く設定し、且つ突条の高さとほぼ同高に設定した可動プレートの下端で前記長方形状部を通過する塗料の上部を切り取りならすことにより、所定高さの突条を塗膜の上面に形成した道路標示を形成することを特徴とする熱溶融型塗料の施工装置。
【請求項２】
溶融された熱溶融型塗料を路面に吐出させる開閉自在な吐出口の後方に、突条を形成する開口部が横方向に間隔を開けて複数形成された形成プレートと、その背後に可動プレートとを設け、可動プレートを上下させて、路面に吐出させた熱溶融型塗料に形成プレート及び可動プレートを通過させることにより、塗膜の上面に所定高さの突条が連続的に又は断続的に形成された道路標示を路面に形成する熱溶融型塗料の施工方法であって、前記形成プレートの開口部はその上部を形成する横長の長方形状部と、該長方形状部の下端から下方に向かって両側に広がった台形状部とから形成され、前記開口部の開口高さを塗膜の上面に形成する突条の高さよりも高く設定し、且つ突条の高さとほぼ同高に設定した可動プレートの下端で前記長方形状部を通過する塗料の上部を切り取りならすことにより、所定高さの突条を塗膜の上面に形成した道路標示を形成することを特徴とする熱溶融型塗料の施工方法。
【発明の詳細な説明】
【技術分野】
【０００１】
本発明は、路面等に所定の幅で形成された塗膜の上に突条を形成するための熱溶融型塗料の施工装置及び施工方法に関するものである。
【背景技術】
【０００２】
従来、路面等に所定の幅で形成したライン状の塗膜の上に凸部を形成する方法としては、例えば特許文献１には、路面におけるライン敷設部位に、揺変性を有する熱溶融性材料を、該熱溶融性材料を収容した収容槽のライン形成用流出口から流出させて、所定幅のラインを形成すると共に、このライン形成時、前記ライン形成用流出口の開口部形状を制御して、前記ライン上に突起を一体に突設することを特徴とする路面ラインの敷設方法が開示されている。
【０００３】
詳細には、特許文献１の段落番号００２４と図面の図４，５に記載のように、路面に筋状の突起を設けた所謂誘導形ラインを形成する場合には、走行装置を走行させて路面上のライン敷設部位まで来た時点で、先ず操作ハンドルを介してシャッターを開動作させて、図４に示すように、ライン形成用流出口を開くと、収容槽内で加熱保温されている熱溶融性材料が路面上に流下し、走行装置の移動に従って路面上に厚さ約２ｍｍのラインが形成されるのである。そして走行装置の走行に伴い、コントローラを介してエアーシリンダが往動すると、図５に示すように、更に筋状突起形成用流出口が開放されて、該筋状突起形成用流出口から収容槽内の熱溶融性材料が流出して、厚さ約２ｍｍのライン上に筋状突起が一体に形成されるのであり、走行装置が所定距離移動した時、コントローラを介してエアーシリンダが復動して、筋状突起形成用流出口が開閉体で閉鎖され、筋状突起の形成が中断されるものである。
【０００４】
【特許文献１】特開平７−１３８９２１号公報（段落番号００２４、図面の図４，５）
【発明の開示】
【発明が解決しようとする課題】
【０００５】
しかしながら、特許文献１に記載の方法では、走行装置を走行させながら、開閉体を上昇させ、所望の形状に切り欠いて形成した筋状突起形成用流出口を開放して筋状突起を形成するようになされているため、特に突起上部を形成する筋状突起形成用流出口まで材料が行き渡らず、突起上面に凹みが生じることがあった。
【０００６】
本発明は上記のような課題を解決するためになされたものであり、丸みを帯びたり凹みを生じたりすることなく、突起上部の形状を所定のものとなすことができる熱溶融型塗料の施工装置及び方法を提供せんとするものである。
【課題を解決するための手段】
【０００７】
上記目的を達成するため、本発明は以下のような構成としている。すなわち、本発明に係る熱溶融型塗料の施工装置は、溶融された熱溶融型塗料を路面に吐出させる開閉自在な吐出口の後方に、突条を形成する開口部が横方向に間隔を開けて複数形成された形成プレートと、その背後に可動プレートとが設けられ、可動プレートを上下させて、路面に吐出させた熱溶融型塗料に形成プレート及び可動プレートを通過させることにより、塗膜の上面に所定高さの突条が連続的に又は断続的に形成された道路標示を路面に形成する熱溶融型塗料の施工装置であって、前記形成プレートの開口部がその上部を形成する横長の長方形状部と、該長方形状部の下端から下方に向かって両側に広がった台形状部とから形成され、前記開口部の開口高さを塗膜の上面に形成する突条の高さよりも高く設定し、且つ突条の高さとほぼ同高に設定した可動プレートの下端で前記長方形状部を通過する塗料の上部を切り取りならすことにより、所定高さの突条を塗膜の上面に形成した道路標示を形成することを特徴とするものである。
【０００８】
また本発明に係る熱溶融型塗料の施工方法は、溶融された熱溶融型塗料を路面に吐出させる開閉自在な吐出口の後方に、突条を形成する開口部が横方向に間隔を開けて複数形成された形成プレートと、その背後に可動プレートとを設け、可動プレートを上下させて、路面に吐出させた熱溶融型塗料に形成プレート及び可動プレートを通過させることにより、塗膜の上面に所定高さの突条が連続的に又は断続的に形成された道路標示を路面に形成する熱溶融型塗料の施工方法であって、前記形成プレートの開口部はその上部を形成する横長の長方形状部と、該長方形状部の下端から下方に向かって両側に広がった台形状部とから形成され、前記開口部の開口高さを塗膜の上面に形成する突条の高さよりも高く設定し、且つ突条の高さとほぼ同高に設定した可動プレートの下端で前記長方形状部を通過する塗料の上部を切り取りならすことにより、所定高さの突条を塗膜の上面に形成した道路標示を形成することを特徴とするものである。
【発明の効果】
【０００９】
本発明に係る熱溶融型塗料の施工装置によれば、形成プレートの開口部の開口高さを塗膜の上面に形成する突条の高さよりも高く設定し、且つ突条の高さとほぼ同高に設定した可動プレートの下端で前記開口部を通過する塗料の上部を切り取りならすようにしているため、開口部の上端付近に熱溶融型塗料が充分に充満されない場合においても、塗膜の上面に形成する突条の高さよりも高い開口部を通過した熱溶融型塗料は可動プレートにより切り取られ、且つ可動プレート下端面でならされ、所定高さの突条を塗膜の上面に形成した道路標示を形成できる。
【００１０】
また本発明に係る熱溶融型塗料の施工方法によれば、形成プレートの開口部の開口高さを塗膜の上面に形成する突条の高さよりも高く設定し、且つ突条の高さとほぼ同高に設定した可動プレートの下端で前記開口部を通過する塗料の上部を切り取りならすようにしているため、開口部の上端付近に熱溶融型塗料が充分に充満されない場合においても、塗膜の上面に形成する突条の高さよりも高い開口部を通過した熱溶融型塗料を可動プレートで切り取り、且つ可動プレート下端面でならして、所定高さの突条を塗膜の上面に形成した道路標示を形成することができる。
【発明を実施するための最良の形態】
【００１１】
本発明に係る最良の実施の形態について、図面に基づき以下に具体的に説明する。
図１は本発明に係る熱溶融型塗料の施工装置の実施の一形態を説明する概略側面図、図２は図１に示した熱溶融型塗料の施工装置の要部を示す背面図、図３は図２のａ−ａ線断面図、図４は吐出口を開口した状態での要部の断面図、図５は突条を形成する状態での要部の断面図、図６は熱溶融型塗料の施工装置により形成した道路標示の一例を示す斜視図である。
【００１２】
熱溶融型塗料の施工装置（以下、施工機という）Ｐは、前輪Ｗ１及び後輪Ｗ２により、施工方向αに進行するようになされた台車Ｄ上に塗料タンク１が設けられ、塗料タンク１は同じく台車Ｄ上に積載されたガスボンベＧのガスを燃焼させることで、貯蔵された熱溶融型塗料Ａに熱を加えて溶融状態に保つことができるようになされている。
【００１３】
塗料タンク１の下方には溶融状態の熱溶融型塗料Ａを一時貯蔵する塗料ボックス２と、該塗料ボックス２の下部に熱溶融型塗料Ａを路面に吐出させる開閉自在な吐出口３が設けられ、該吐出口３の後方に、熱溶融型塗料Ａを流出させて所定の幅と厚みの塗膜４を形成しその上面に突条５を形成するための４個の開口部６１が横方向に所定の間隔をあけて設けられた形成プレート６と、該形成プレート６の背後に上下に可動自在となされた可動プレート７とが設けられている。尚、塗料ボックス２の下部に設けた前後に可動するシャッター８を前後に動かすことにより、吐出口３が開閉自在となされており、また吐出口３及び形成プレート６の側方から熱溶融型塗料Ａが漏洩するのを防ぐための側板９が両側に備えられている。
【００１４】
また形成プレート６は、所定の幅と厚みの塗膜４を路面に形成できるように、路面と一定の間隔をあけて設けられており、可動プレート７の下端面と形成プレート６の下端面とが面一の状態で、帯状の平坦な塗膜４が路面に形成される。そして、形成プレート７は調整ねじ（図示せず）を調整して上下させることができるようになされており、それにより塗膜４の厚みを調整することができる。
【００１５】
また塗膜４の上面に突条５を形成するために形成プレート６に設けられた開口部６１の形状は、その上部を形成する横長の長方形状部６１Ａと、長方形状部６１Ａの下端から下方に向かって両側になだらかに広がった台形状部６１Ｂとから形成されている。
【００１６】
そして、塗膜４の上面に所定の高さの突条５を形成する際は、可動プレート７を上昇させて開口部６１から熱溶融型塗料Ａを吐出させるのであるが、台形状部６１Ｂの上端まで可動プレート７下端を上昇させることにより、開口部６１上端に熱溶融型塗料Ａが充分に充満されない場合でも、開口部６１の上部である長方形状部６１Ａを通過する熱溶融型塗料Ａを可動プレート７により切り取り、且つ可動プレート７下端面でならしながら突条５を形成するため、角が丸くならず上面が平坦となされた突条５を形成することができる。ここで、形成プレート６の板厚に比べ、可動プレート７の板厚を厚くすることにより、可動プレート７下端面を広くすることができ、突条５を形成する際に突条５の上面をならす効果が大きいものとなすことができ、好ましい。
【００１７】
そして、所定の長さに突条５を形成した後は、形成プレート６の下端まで可動プレート７を下降させれば、帯状の平坦な塗膜４が形成される状態となり、突条５の形成を終了させることができる。かようにして、突条５の長さを自在に変更でき、連続的に又は断続的に塗膜４の上面に所定の高さの突条５を形成した道路標示を形成することができる。
【００１８】
尚、本実施形態において、施工機Ｐは把手Ｈを備え人力で押すように記載しているが、勿論、エンジン等の動力源を備えた自走式のものであってもよく、またシャッター８の開閉や可動プレート７の昇降は、例えばシャッター８及び可動プレート７に各々連結体を介してエアシリンダを連結し、台車に取付けられた距離センサからの情報が突条形成長さとなった際に、コンピュータ等の制御手段により制御されて自動でエアシリンダを作動させ実施してもよいし、作業者が手動で行ってもよい。
【００１９】
熱溶融型塗料Ａは、バインダー樹脂として石油樹脂、ロジン、アクリル樹脂等の熱可塑性樹脂を用い、これらに炭酸カルシウム、珪砂等の体質材、下地路面への接着性を高めるワックス等、着色を行う顔料等を配合し、１５０〜２３０℃程度の温度で溶融させ、粘度を１００００〜１０００００ｍＰａ・Ｓ、好ましくは１５０００〜２５０００ｍＰａ・Ｓとして施工するものである。熱溶融型塗料Ａの内、バインダー樹脂は５〜２０重量％、好ましくは５〜１５重量％としておくのが、施工性、コスト等を考慮すると好ましい。
【００２０】
また前記顔料としては、酸化チタン、弁柄、鉄黒、群青、黄鉛等の無機顔料や、アゾ系顔料、フタロシアニン系顔料等の有機顔料が用いられ、特に視覚障害者を誘導するたの塗膜を形成する際には、黄鉛が好適に用いられる。
【産業上の利用可能性】
【００２１】
本発明に係る熱溶融型塗料の施工装置及び方法は、形成プレートの開口部の開口高さを路面に形成される突条の高さよりも高く設定し、路面に形成される突条の高さに設定した可動プレートの下端で開口部を通過する塗料の上部を切り取りならすことにより、所定高さの突条を形成するようにしているため、開口部の上端付近に熱溶融型塗料が充分充填されない場合においても、高さの高い部分に位置する熱溶融型塗料は可動プレートにより切り取られ、更に可動プレート下端面でならされ、上面が平坦な突条を形成、特に視覚障害者を誘導する誘導ラインの形成に好適な熱溶融型塗料の施工装置及び方法として利用することができる。
【図面の簡単な説明】
【００２２】
【図１】本発明に係る熱溶融型塗料の施工装置の実施の一形態を説明する概略側面図である。
【図２】図１に示した熱溶融型塗料の施工装置の要部を示す背面図である。
【図３】図２のａ−ａ線断面図である。
【図４】吐出口を開口した状態での要部の断面図である。
【図５】突条を形成する状態での要部の断面図である。
【図６】熱溶融型塗料の施工装置により形成した道路標示の一例を示す斜視図である。
【符号の説明】
【００２３】
１    塗料タンク
２    塗料ボックス
３    吐出口
４    塗膜
５    突条
６    形成プレート
６１  開口部
６１Ａ  長方形状部
６１Ｂ  台形状部
７    可動プレート
８    シャッター
９    側板
Ａ    熱溶融型塗料
【図１】
0004767734.tif 000002
【図２】
0004767734.tif 000003
【図３】
0004767734.tif 000004
【図４】
0004767734.tif 000005
【図５】
0004767734.tif 000006
【図６】
0004767734.tif 000007